(57)【要約】【課題】中間床と１階床より低い位置にある低床との間が収納空間された場合に、この収納空間に容易に出入りできる建物を提供する【解決手段】収納空間５と１階床１上の部屋７とを仕切る仕切壁１０に、収納空間５に出入りするための出入口１１，２１を形成し、仕切壁１０に直交する１階床１に、開口部１３を出入口１１と連続して形成することによって、開口部１１および出入口１３を通って、収納空間５に出入りできる。したがって、出入口１１の高さが低くても、収納空間５に容易に出入りできる。【選択図】図１
2006070655.tif 000002
【特許請求の範囲】
【請求項１】
１階床より高く、２階床より低い位置に中間床が設けられ、この中間床と、前記１階床より低い位置にある低床との間が収納空間とされた建物において、
前記収納空間と１階床上の部屋とを仕切る仕切壁には、前記収納空間に出入りするための出入口が形成されており、
前記仕切壁に直交する前記１階床または中間床には、開口部が前記出入口と連続して形成されていることを特徴とする建物。
【請求項２】
請求項１に記載の建物において、
前記１階床と低床とは、スロープまたは階段によって繋がっていることを特徴とする建物。
【請求項３】
請求項２に記載の建物において、
前記１階床に形成された開口部の下方に前記スロープまたは階段が設けられており、前記開口部には、１階床と連続する蓋が着脱可能に設けられていることを特徴とする建物。
【請求項４】
請求項２に記載の建物において、
前記１階床と低床とがスロープによって繋がっており、このスロープは、１階床に上下に回動可能に取り付けられ、かつ水平となる位置で１階床と連続する回動板に形成されていることを特徴とする建物。
【請求項５】
請求項１〜４のいずれか一項に記載の建物において、
前記収納空間には、前記１階床と同じ高さ位置に棚が設けられていることを特徴とする建物。
【請求項６】
請求項５に記載の建物において、
前記仕切壁には開口部が形成され、この開口部によって、棚と１階床とが連続していることを特徴とする建物。
【発明の詳細な説明】
【技術分野】
【０００１】
本発明は、建物に係り、特に１階の中間床の下方に収納空間を有する建物に関する。
【背景技術】
【０００２】
１階の中間床の下方に収納空間を有する建物の一例として、特許文献１に記載のものが知られている。この特許文献１に記載の建物は、建物の１階に、その床の一部を他の部分より高くした高床部分（中間床）を設け、その高床部分の下に収納空間を設け、その収納空間の床を、建物の１階の床より低くしたものである。高床部分の高さは、１階の床から６０ｃｍ程度であり、収納空間の床と１階の床との段差は６０ｃｍ程度である。したがって、収納空間の天井高は１．２ｍ程度となっており、大人が腰を屈めて作業できる高さを有している。
【特許文献１】特開２００１−３２３６６７号公報
【発明の開示】
【発明が解決しようとする課題】
【０００３】
ところで、上記特許文献１に記載の建物では、収納空間への出入口が何処に設けられているかは不明である。この出入口を、例えば、収納空間と１階の部屋とを仕切る仕切壁に設けた場合、この仕切壁の高さは、前記高床部分の高さである６０ｃｍであるので、この仕切壁に設ける出入口の高さは最大で６０ｃｍである。
したがって、出入口の高さを十分に確保できないため、収納空間への出入りが困難になるという問題がある。
【０００４】
本発明は上記事情に鑑みてなされたもので、中間床と１階床より低い位置にある低床との間が収納空間された場合に、この収納空間に容易に出入りできる建物を提供することを課題としている。
【課題を解決するための手段】
【０００５】
上記課題を解決するために、請求項１に記載の発明は、例えば図１〜図３、図６に示すように、１階床１より高く、２階床２より低い位置に中間床３が設けられ、この中間床３と、前記１階床１より低い位置にある低床４との間が収納空間５とされた建物において、
前記収納空間５と１階床１上の部屋７とを仕切る仕切壁１０には、前記収納空間５に出入りするための出入口１１，２１が形成されており、
前記仕切壁１０に直交する前記１階床１または中間床３には、開口部１３，２３が前記出入口１１，２１と連続して形成されていることを特徴とする。
【０００６】
ここで、前記中間床３は、前記収納空間５の天井高が０．９ｍ〜１．４ｍとなるように、高さ方向の位置を設定するのが望ましい。
また、前記低床４は、１階床１より低い位置に形成された土間床であってもよいし、土間床以外の通常の床であってもよい。要は、１階床１より低い位置に設けられた床であればよい。
また、前記出入口１１，２１の左右の幅は、前記仕切壁１０の左右の幅とほぼ等しく形成してもよいし、仕切壁１０の左右の幅より小さく設定してもよい。さらに、出入口１１，２１の上下の幅は、仕切壁１０の上下の幅とほぼ等しく設定するのが望ましい。
【０００７】
請求項１に記載の発明によれば、収納空間５と１階床１上の部屋７とを仕切る仕切壁１０に形成された出入口１１，２１に、仕切壁１０に直交する１階床１または中間床３に形成された開口部１３，２３が連続しているので、前記開口部１１，２１および出入口１３，２３を通って、収納空間５に出入りできる。したがって、出入口１１，２１の高さが低くても、収納空間５に容易に出入りできる。
【０００８】
請求項２に記載の発明は、請求項１に記載の建物において、
前記１階床１と低床４とは、スロープまたは階段１６，２６によって繋がっていることを特徴とする。
【０００９】
ここで、図２に示すように、１階床１に開口部１３が形成されている場合、この開口部１３の下方において、開口部１３の縁部と低床４との間に、前記スロープまたは階段１６を設ける。また、図６に示すように、中間床３に開口部２３が形成されている場合、この開口部２３の下方において、前記１階床１の縁部と低床４との間に、前記スロープまたは階段２６を設ける。
【００１０】
請求項２に記載の発明によれば、１階床１と収納空間５の床である低床４とには段差があるが、１階床１と低床４とがスロープまたは階段１６，２６によって繋がっているので、１階床１上の部屋７と収納空間５との間を容易に行き来できる。
【００１１】
請求項３に記載の発明は、請求項２に記載の建物において、
前記１階床１に形成された開口部１３の下方に前記スロープまたは階段１６が設けられており、前記開口部１３には、１階床１と連続する蓋１５が着脱可能に設けられていることを特徴とする。
【００１２】
請求項３に記載の発明によれば、前記開口部１３に蓋１５を設けることによって、開口部１３が塞がれるとともに、蓋１５と１階床１が連続するので、１階床１を広く利用することができる。また、収納空間５に出入りする場合は、蓋１５を取り外すことによって、開口部１３が現れるので、収納空間５に容易に出入りできる。
【００１３】
請求項４に記載の発明は、例えば図５に示すように、請求項２に記載の建物において、
前記１階床１と低床４とがスロープ１８ａによって繋がっており、このスロープ１８ａは、１階床１に上下に回動可能に取り付けられ、かつ水平となる位置で１階床１と連続する回動板１８に形成されていることを特徴とする。
【００１４】
ここで、前記回動板１８は、その厚さを１階床１と等しく設定してもよいし、異なるように設定してもよい。要は、回動板１８が水平となる位置で１階床１と連続すればよい。つまり、水平となる位置で、回動板１８の上面と１階床１の床面がほぼ面一となればよい。
また、回動板１８を、それが水平となる位置で固定するためのロック機構を設ける。このロック機構としては、例えば、１階床１に形成された開口部の内周面から出没するピン１９を設け、このピン１９が回動板の側端面に形成した孔に挿入されることで、回動板１８をロックしてもよい。その場合、ピン１９の出没は１階床１上から操作できるように構成するのが望ましい。
【００１５】
請求項４に記載の発明によれば、スロープ１８ａが形成された回動板１８が、１階床１と連続することによって、１階床１を広く利用できる。また、回動板１８を下方に回動させることによって、１階床１と低床４とがスロープ１８ａによって繋がるので、収納空間５に容易に出入りできる。
【００１６】
請求項５に記載の発明は、例えば図１〜図３に示すように、請求項１〜４のいずれか一項に記載の建物において、
前記収納空間５には、前記１階床１と同じ高さ位置に棚１７が設けられていることを特徴とする。
【００１７】
ここで、前記棚１７は、収納空間５を形成する内壁に沿って設け、かつ、仕切壁１０に形成した出入口１１に臨まないようにして設けるのが望ましい。
【００１８】
請求項５に記載の発明によれば、収納空間５に、１階床１と同じ高さ位置に棚１７が設けられているので、出入口１１から人が収納空間５に出入りして、物品を棚１７と１階床１との間で行き来させる場合に、該物品を上下動させることなく、ほぼ平行移動によって行き来させることができ、物品の収納や持ち出しが容易となる。
【００１９】
請求項６に記載の発明は、請求項５に記載の建物において、
前記仕切壁１０には開口部１８ａが形成され、この開口部１８ａによって、棚１７と１階床１とが連続していることを特徴とする。
【００２０】
ここで、前記開口部１８ａは、出入口１１と連続して形成してもよいし、出入口１１と離間して形成してもよい。
【００２１】
請求項６に記載の発明によれば、仕切壁１０に形成された開口部１８ａによって、棚１７と１階床１とが連続しているので、床上を滑らすようにして、１階床１と棚１７との間で物品を平行移動できるので、物品の収納や持ち出しがさらに容易となる。
【発明の効果】
【００２２】
本発明によれば、中間床と低床との間にある収納空間と１階床上の部屋とを仕切る仕切壁に、収納空間に出入りするための出入口が形成され、仕切壁に直交する１階床または中間床に、開口部が前記出入口と連続して形成されているので、開口部および出入口を通って、収納空間に出入りできる。したがって、出入口の高さが低くても、収納空間に容易に出入りできる。
【発明を実施するための最良の形態】
【００２３】
以下、図面を参照して本発明の実施の形態について説明する。
図１は本発明に係る建物の一例を示す概略断面図である。この図に示す建物は、２階建ての建物であり、例えば周知のパネル工法によって構築されている。
建物の１階床１と２階床２との間には中間床３が設けられている、つまり、１階床１より高く、２階床２より低い位置に中間床３が設けられている。中間床３は１階の一部に設けられたものであり、この中間床３と、１階床１より低い位置にある低床４との間が収納空間５とされている。低床４は土間床であり、打設されたコンクリートによって形成されている。また、この低床４は建物を支持する基礎６と一体的に形成されている。また、中間床３は収納空間５の天井高が０．９〜１．４ｍとなるように、上下の位置が設定されている。
【００２４】
１階床１は低床４より０．５ｍ程度高い位置に設けられており、この１階床１と２階床２との間には、天井高の高い居間７が設けられている。また、中間床３は１階床１より０．６ｍ程度高い位置に設けられており、この中間床３と２階床２との間には、例えば水回り系の部屋８が設けられている。中間床３と２階床２との間は天井高が比較的低くてもよい、前記水回り系の部屋８や和室等とするのが望ましい。
居間７と水回り系の部屋８の天井は同レベルに位置しており、これら居間７と部屋８の上方にある２階床２上には、通常の天井高さを有する部屋９が設けられている。
【００２５】
また、前記収納空間５と１階床１上の居間７とを仕切るともに、居間７と部屋８とを仕切る仕切壁１０には、図１および図２に示すように、収納空間５に出入りするための出入口１１が形成されている。この出入口１１は、中間床３と低床４との間に形成されており、その横方向の幅は、収納空間５の幅とほぼ等しくなっている。また、出入口１１には、これを開閉する引戸１２が取り付けられている。
引戸１２は４枚あり、そのうちの２枚ずつが引違い式となっており、２組の２枚の引違い式の引戸１２をそれぞれ左右に寄せることによって、出入口１１の中央部が開口し、両脇部が閉鎖されるようになっている。また、引戸１２は中間床３から吊り下げられる吊戸となっており、その下端部は１階床１の床面まで達している。したがって、２組の２枚の引違い式の引戸１２のうちの、それぞれ一方の引戸１２を引き出して中央部で互いに当接させることによって、出入口の中央部と両脇部の双方が閉鎖されるようになっている。
【００２６】
また、前記仕切壁１０に直交する１階床１には、開口部１３が出入口１１と連続して形成されている。この開口部１３は、１階床１の一部を矩形状に切り欠くことによって形成されたものであり、その幅は前記出入口１１の中央部とほぼ等しくなっている、つまり、前記引戸１２を左右に寄せた際に、開口される出入口１１の中央部の幅と等しくなっている。
また、開口部１３には、１階床１と連続する蓋１５が着脱可能に設けられている。この蓋１５は平面視において、開口部１３と同形、同大に形成された矩形板状のものであり、その上面には、図示しない取手が凹設されている。蓋１５は開口部１３を閉鎖するものであり、該蓋１５を開口部１３に嵌めた際に、該開口部１５の上面が１階床１の床面とほぼ面一となるように形成されている。
さらに、１階床１に形成された開口部１３の下方には、階段１６が設けられており、この階段１６によって１階床１と低床４とが繋がっている。なお、階段１６に代えてスロープによって、１階床１と低床４とを繋げてもよい。
【００２７】
また、前記収納空間５には、棚１７が１階床１と同じ高さ位置に設けられている。この棚１７は平面視コ字状に形成されており、収納空間５を形成する内壁に沿って配置されている。また、棚１７と１階床１とは連続している。すなわち、図３に示すように、出入口１１は、仕切壁１０の幅方向に亙って大きく開口しているので、出入口１１の両脇部には、引戸１２を出入口１１の中央部に寄せることにより、開口部１１ａが形成され、この開口部１１ａによって、棚１７と１階床１とが連続している。なお、出入口１１を仕切壁１０の中央部に形成した場合、この出入口１１の左右両脇において、仕切壁１１に開口部を形成することによって、棚１７と１階床１とを連続させることができる。
【００２８】
本実施の形態によれば、収納空間５と１階床１上の居間７とを仕切る仕切壁１０に、収納空間５に出入りするための出入口１１が形成されており、仕切壁１０に直交する１階床１に、開口部１３が出入口１１と連続して形成されているので、開口部１３および出入口１１を通って、収納空間５に出入りできる。したがって、出入口１１の高さが低くても、収納空間５に容易に出入りできる。
また、収納空間５の床が１階床より低い低床４とすることにより、収納空間５を下げることができ、これに伴って、中間床３を下げることができる。したがって、中間床３と２階床２との間の部屋（水回り系の部屋）８の天井高を確保できる。また、中間床３を下げた分、２階床２を下げることができるので、建物自体の高さを抑えることもできる。
【００２９】
また、１階床１と収納空間５の床である低床４とには段差があるが、１階床１と低床４とがは階段１６によって繋がっているので、１階床１上の居間７と収納空間５との間を容易に行き来できる。
さらに、１階床１に形成された開口部１３には、１階床１と連続する蓋１５が着脱可能に設けられているので、この開口部１３に蓋１５を設けることによって、開口部１３が塞がれるとともに、蓋１５と１階床１が連続するので、１階床１を広く利用することができる。また、収納空間５に出入りする場合は、蓋１５を取り外すことによって、開口部１３が現れるので、階段１６を使用して収納空間５に容易に出入りできる。
加えて、記収納空間５には、１階床１と同じ高さ位置に棚１７が設けられているので、出入口１１から人が収納空間５に出入りして、物品を棚１７と１階床１との間で行き来させる場合に、該物品を上下動させることなく、ほぼ平行移動によって行き来させることができ、物品の収納や持ち出しが容易となる。また、出入口１１の横の開口部１１ａによって、棚１７と１階床１とが連続しているので、床上を滑らすようにして、１階床１と棚１７との間で物品Ｂ（図３参照）を平行移動できるので、物品Ｂの収納や持ち出しが容易となる。
【００３０】
なお、本実施の形態では、収納空間５に出入りするための出入口１１に引戸１２を設け、この引戸１２によって出入口１１を開閉可能としたが、図４に示すように、引戸１２を設けることなく、出入口１１を大きく開口させたままでもよい。この場合、常に１階床１と収納空間５内の棚１７とが連続しているので、物品の収納や持ち出しがさらに容易となる。また、居間７と収納空間５とが水平方向に連続するので、居間７や収納空間５に空間的な拡がりを得ることができる。
【００３１】
また、本実施の形態では、図１〜図３に示すように、１階床１の開口部１３の下方に階段１６を設けたが、この階段１６に代えて、図５に示すような、回動板１８を設けてもよい。この回動板１８は矩形板状に形成されており、１階床１に形成された開口部１３内に配置されている。また、回動板１８の基端部は、１階床１の裏面に蝶番１９によって連結されており、これによって、回動板１８はその基端部を支点として上下に回動可能となっている。つまり、回動板１８は、１階床１と連続する水平位置と、先端部が収納空間５の低床４に当接する位置との間で上下に回動可能となっている。なお、回動板１８の先端面は、低床４に当接するような、斜めに傾斜した傾斜面となっている。そして、この回動板１８の上面がスロープ１８ａとされている。
また、回動板１８は水平となる位置でピン１９によってロックされるようになっている。このピン１９は、回動板１８の側端面またはこの側端面と対向する、仕切壁１０の側端面に出没可能に設けられており、このピン１９が挿入される孔が対向して形成されている。そして、回動板１８が水平となる位置にくると、ピン１９が突出して孔に挿入されることによって、回動板１８は水平となる位置でロックされるようになっている。また、このロックを解除する場合、前記ピン１９を孔から外すことにより行う。
【００３２】
上記のように、スロープ１８ａが形成された回動板１８が、１階床１と連続することによって、１階床１を広く利用できる。また、回動板１８を下方に回動させることによって、１階床１と低床４とがスロープ１８ａによって繋がるので、収納空間５に容易に出入りできる。また、回動板１８が開口部１３を閉鎖する蓋の機能も兼ね備えるので、図２に示すような蓋１５を別途用意する必要がない。
【００３３】
図６は、本発明の他の実施の形態を示すものである。この図に示す建物が、図２に示す建物と主に異なる点は、中間床３に開口部を形成した点であるので、以下ではこの点について説明し、図２に示すものと共通部分には同一符号を付してその説明を省略または簡略化する。
図６に示すように、収納空間５と居間７とを仕切る仕切壁１０には、収納空間５に出入りするための出入口２１が形成されている。この出入口２１は、中間床３と１階床１との間に形成されており、その横方向の幅は収納空間５の幅より小さくなっている。つまり、出入口２１は仕切壁１０の略中央部に形成されている。
【００３４】
また、前記仕切壁１０に直交する中間床３には、開口部２３が出入口２１と連続して形成されている。この開口部２３は、中間床３の一部を矩形状に切り欠くことによって形成されたものであり、その幅は前記出入口２１の幅とほぼ等しくなっている。
また、開口部２３には、中間床３と連続する蓋２５が着脱可能に設けられている。この蓋２５は平面視において、開口部２３と同形、同大に形成された矩形板状のものであり、その上面には、図示しない取手が凹設されている。蓋２５は開口部２３を閉鎖するものであり、該蓋２５を開口部２３に嵌めた際に、該開口部２５の上面が中間床３の床面とほぼ面一となるように形成されている。
【００３５】
また、中間床３に形成された開口部２３の下方には、階段２６が設けられており、この階段２６によって１階床１と低床４とが繋がっている。階段２６は平面視において収納空間５内に配置されている。なお、階段１６に代えてスロープによって、１階床１と低床４とを繋げてもよい。
【００３６】
本実施の形態では、図１〜３に示す実施の形態と同様の効果を得ることができる他、上下に長尺な物品を収納空間５に容易に出し入れできるという利点がある。つまり、蓋２５を取り外すことによって、収納空間５上に中間床３上の部屋８まで吹き抜ける空間が形成されるので、この空間を利用して上下に長尺な物品を収納空間５に容易に出し入れできる。
なお、本実施の形態において、仕切壁１０に別途開口部を形成し、この開口部によって、棚１７と１階床１とを連続させてもよい。このようにすれば、床上を滑らすようにして、１階床１と棚１７との間で物品を平行移動できるので、物品の収納や持ち出しが容易となる。
【図面の簡単な説明】
【００３７】
【図１】本発明に係る建物の一例を示すもので、その概略断面図である。
【図２】同、建物の要部の斜視図である。
【図３】同、物品を床上を滑らすようにして収納空間に収納している状態を示す建物の要部の斜視図である。
【図４】同、引戸がない場合の建物の要部の斜視図である。
【図５】同、回動板を設けた場合の建物の要部の断面図である。
【図６】本発明に係る建物の他の例を示すもので、その要部の斜視図である。
【符号の説明】
【００３８】
１  １階床
２  ２階床
３  中間床
４  低床
５  収納空間
７  居間（１階床上の部屋）
１０  仕切壁
１１，２１  出入口
１１ａ  開口部
１３，２３  開口部
１５，２５  蓋
１６，２６  階段
１７  棚
１８  回動板
１８ａ  スロープ
【図１】
2006070655.tif 000003
【図２】
2006070655.tif 000004
【図３】
2006070655.tif 000005
【図４】
2006070655.tif 000006
【図５】
2006070655.tif 000007
【図６】
2006070655.tif 000008